(57)【要約】【課題】レバーを無くしてコスト削減を図ると共に組立の面倒を無くす。【解決手段】メスコネクタハウジング２０Ａがフード部３０を有すると共に、フード部が開放可能となるように、下側半体２１と上側半体２２に二分割され、両半体がヒンジ２３を介して開閉自在に連結されている。下側半体は、フード部の周壁の一部を構成する下壁３１と側壁３２とを有すると共に、端子を保持するコネクタ本体部３４を有し、上側半体には、フード部の周壁の残りの部分を構成する上壁４１と側壁４２とを有する。下側半体の側壁とオスコネクタハウジングの側壁の対向面には、嵌合の際にオスコネクタハウジングをコネクタ本体部に向けてスライドするように誘導するガイド凸部３６とガイド溝１６が設けられ、上側半体の側壁とオスコネクタハウジングの側壁の対向面には、オスコネクタハウジングをコネクタ本体部に向けてスライドさせる係合凸部４７とカム溝１７が設けられている。【選択図】図１
2011076752.tif 000002
【特許請求の範囲】
【請求項１】
オスコネクタハウジングに第１の端子を装着して構成したオスコネクタと、前記オスコネクタハウジングと嵌合するメスコネクタハウジングに、両コネクタハウジングが嵌合したとき、前記第１の端子と接続される第２の端子を装着して構成したメスコネクタとからなり、
前記メスコネクタハウジングは、前記オスコネクタハウジングを受け入れる筒形のフード部を有すると共に、該フード部が開放可能となるように、第１と第２の２つの半体に二分割され、
前記第２の半体は、前記第１の半体に対してヒンジにより開閉可能に一体に連結され、
前記第１の半体には、前記フード部の周壁の一部を構成する壁が設けられると共に、前記第２の端子を保持するコネクタ本体部が設けられ、
前記第２の半体には、前記フード部の周壁の残りの部分を構成する壁が設けられ、
また、前記第１の半体と前記オスコネクタハウジングの間には、前記オスコネクタハウジングとメスコネクタハウジングを嵌合する際に、該オスコネクタハウジングを前記第１の半体のコネクタ本体部に向けて直線スライドするように誘導するガイド手段が設けられ、
一方、前記第２の半体と前記オスコネクタハウジングの間には、前記第２の半体を第１の半体に対して閉じる動作を行ったときに、その動作に連動して、前記オスコネクタハウジングを前記第１の半体のコネクタ本体部に向けてスライドさせて、前記第１の端子と第２の端子を接続させる引込機構が設けられていることを特徴とするコネクタ装置。
【請求項２】
請求項１に記載のコネクタ装置であって、
前記第２の半体が、前記フード部の周壁を構成する壁として、前記第２の半体を第１の半体に対して閉じる動作を行ったときに、その動作方向と平行な面内にあると共に前記オスコネクタハウジングの側壁と対向する側壁を有しており、
前記引込機構が、前記互いに対向するオスコネクタハウジングの側壁と前記第２の半体の側壁との対向面のうちの一方に設けられたカム溝と、他方に設けられ、前記カム溝にスライド自在に係合する係合凸部とからなり、
前記カム溝が、前記第２の半体を第１の半体に対して閉じる動作を行ったときに、前記係合凸部をカム溝の入口部より受け入れて、その閉じる動作が進むに従い、前記カム溝をスライドする前記係合凸部を介して、前記オスコネクタハウジングを前記コネクタ本体部に向けて相対移動させることのできる経路に沿って形成されていることを特徴とするコネクタ装置。
【請求項３】
請求項１または２に記載のコネクタ装置であって、
前記第１の半体が、前記フード部の周壁を構成する壁として、前記第２の半体を第１の半体に対して閉じる動作を行ったときに、その動作方向と平行な面内にあり且つ前記オスコネクタハウジングの側壁に対向する側壁を有しており、
前記ガイド手段が、前記互いに対向するオスコネクタハウジングの側壁と前記第１の半体の側壁との対向面のうちの一方に設けられた直線状のガイド溝と、他方に設けられ、前記直線状のガイド溝にスライド自在に係合する直線状のガイド凸部とからなることを特徴とするコネクタ装置。
【発明の詳細な説明】
【技術分野】
【０００１】
本発明は、オスコネクタとメスコネクタの嵌合の容易化を図ったコネクタ装置に関するものである。
【背景技術】
【０００２】
従来、多極コネクタのように高嵌合力が必要とされるコネクタの分野では、嵌合力を助勢するためのレバーを備えたレバー式コネクタが利用されている。
【０００３】
図４は特許文献１に記載された従来のレバー式コネクタの一例を示している。このレバー式コネクタは、互いに嵌合する一方のコネクタ１２０のコネクタハウジング１２０Ａに、カム溝１５７を有するレバー１５０を回動支点１５２を中心にして回動可能に装着すると共に、他方のコネクタ１１０のコネクタハウジング１１０Ａに、前記カム溝１５７にスライド係合する係合ピン１１７を設け、レバー１５０を回動始端側に位置させた状態で、両ハウジング１１０Ａ、１２０Ａを初期嵌合させることにより、係合ピン１１７をカム溝１５７の入口に入り込ませ、その状態でレバー１５０を矢印Ｐ方向に回動操作することにより、係合ピン１１７をカム溝１５７の案内作用により相対移動させて、それにより、レバー１５０によるてこの作用を利用しながら、小さい力で、両ハウジング１１０Ａ、１２０Ａを本嵌合させるようにしたものである。
【先行技術文献】
【特許文献】
【０００４】
【特許文献１】特開２０００−１２１５４号公報
【発明の概要】
【発明が解決しようとする課題】
【０００５】
上述のように従来では、操作用のレバー１５０をコネクタハウジング１２０Ａとは別に成形した上で、コネクタハウジング１２０Ａに組み付けているので、レバー１５０を別に用意してコネクタハウジング１２０Ａに組み付ける分だけ、部品点数が多くなって製造コストがアップすると共に、組立の面倒が増えるという問題があった。
【０００６】
本発明は、上記事情を考慮し、レバーと同様の機能を果たす部品をコネクタハウジング自体に一体に成形しておくことで、部品点数を減らしてコスト削減を図ると共に、組立の面倒を無くしたコネクタ装置を提供することを目的とする。
【課題を解決するための手段】
【０００７】
上記課題を解決するために、請求項１の発明のコネクタ装置は、オスコネクタハウジングに第１の端子を装着して構成したオスコネクタと、前記オスコネクタハウジングと嵌合するメスコネクタハウジングに、両コネクタハウジングが嵌合したとき、前記第１の端子と接続される第２の端子を装着して構成したメスコネクタとからなり、前記メスコネクタハウジングは、前記オスコネクタハウジングを受け入れる筒形のフード部を有すると共に、該フード部が開放可能となるように、第１と第２の２つの半体に二分割され、前記第２の半体は、前記第１の半体に対してヒンジにより開閉可能に一体に連結され、前記第１の半体には、前記フード部の周壁の一部を構成する壁が設けられると共に、前記第２の端子を保持するコネクタ本体部が設けられ、前記第２の半体には、前記フード部の周壁の残りの部分を構成する壁が設けられ、また、前記第１の半体と前記オスコネクタハウジングの間には、前記オスコネクタハウジングとメスコネクタハウジングを嵌合する際に、該オスコネクタハウジングを前記第１の半体のコネクタ本体部に向けて直線スライドするように誘導するガイド手段が設けられ、一方、前記第２の半体と前記オスコネクタハウジングの間には、前記第２の半体を第１の半体に対して閉じる動作を行ったときに、その動作に連動して、前記オスコネクタハウジングを前記第１の半体のコネクタ本体部に向けてスライドさせて、前記第１の端子と第２の端子を接続させる引込機構が設けられていることを特徴としている。
【０００８】
請求項２の発明のコネクタ装置は、請求項１に記載のコネクタ装置であって、前記第２の半体が、前記フード部の周壁を構成する壁として、前記第２の半体を第１の半体に対して閉じる動作を行ったときに、その動作方向と平行な面内にあると共に前記オスコネクタハウジング（Ａ）の側壁と対向する側壁を有しており、前記引込機構が、前記互いに対向するオスコネクタハウジングの側壁と前記第２の半体の側壁との対向面のうちの一方に設けられたカム溝と、他方に設けられ、前記カム溝にスライド自在に係合する係合凸部とからなり、前記カム溝が、前記第２の半体を第１の半体に対して閉じる動作を行ったときに、前記係合凸部をカム溝の入口部より受け入れて、その閉じる動作が進むに従い、前記カム溝をスライドする前記係合凸部を介して、前記オスコネクタハウジングを前記コネクタ本体部に向けて相対移動させることのできる経路に沿って形成されていることを特徴としている。
【０００９】
請求項３の発明のコネクタ装置は、請求項１または２に記載のコネクタ装置であって、前記第１の半体が、前記フード部の周壁を構成する壁として、前記第２の半体を第１の半体に対して閉じる動作を行ったときに、その動作方向と平行な面内にあり且つ前記オスコネクタハウジングの側壁に対向する側壁を有しており、前記ガイド手段が、前記互いに対向するオスコネクタハウジングの側壁と前記第１の半体の側壁との対向面のうちの一方に設けられた直線状のガイド溝と、他方に設けられ、前記直線状のガイド溝にスライド自在に係合する直線状のガイド凸部とからなることを特徴とするしている。
【発明の効果】
【００１０】
請求項１の発明によれば、メスコネクタハウジングを第１と第２の２つの半体に二分割し、ヒンジを介して第１の半体と一体に連結してある第２の半体を、従来のレバーと同様の機能を果たす部品として利用することにより、オスコネクタとメスコネクタを嵌合させるようにしているので、コネクタハウジングとは別にレバーを用意して組み付ける必要がなくなり、部品点数の削減によるコスト低減と組立の面倒を無くすことができる。
【００１１】
請求項２の発明によれば、オスコネクタハウジングの側壁と第２の半体の側壁の対向面の一方および他方に、カム溝と係合凸部を形成するだけで引込機構を構成することができるので、コストをかけずに容易に実現可能である。
【００１２】
請求項３の発明によれば、直線状のガイド溝とガイド凸部の案内作用により、オスコネクタハウジングを第１の半体のコネクタ本体部に向けて適正な姿勢でスライドさせることができるので、第２の半体の閉じ動作による両コネクタの嵌合をスムーズに行うことができる。
【図面の簡単な説明】
【００１３】
【図１】本発明の実施形態のコネクタ装置の嵌合前の状態を示す斜視図である。
【図２】同コネクタ装置の嵌合初期の状態を示す斜視図である。
【図３】同コネクタ装置の嵌合終盤の状態を示す斜視図である。
【図４】従来のレバー式コネクタの構成を示す斜視図である。
【発明を実施するための形態】
【００１４】
以下、本発明の実施形態を図面を参照して説明する。
【００１５】
図１は実施形態のコネクタ装置の嵌合前の状態を示す斜視図、図２は嵌合初期の状態を示す斜視図、図３は嵌合終盤の状態を示す斜視図である。
【００１６】
本実施形態のコネクタ装置は、図１に示すように、オスコネクタ１０とメスコネクタ２０とからなる。オスコネクタ１０は、樹脂成形品よりなるオスコネクタハウジング１０Ａの各端子収容室１５に第１の端子（図示略）を収容したものである。また、メスコネクタ２０は、オスコネクタハウジング１０Ａと嵌合する樹脂成形品よりなるメスコネクタハウジング２０Ａに、両コネクタハウジング１０Ａ、２０Ａが嵌合したときに、オスコネクタ１０に収容した第１の端子と接続される第２の端子（図示略）を装着したものである。
【００１７】
図１のオスコネクタ１０において、符号１０Ｍで示す側が嵌合方向の前端、１０Ｎで示す側が嵌合方向の後端である。また、図１のメスコネクタ２０において、符号２０Ｍで示す側が嵌合方向の前端、２０Ｎで示す側が嵌合方向の後端である。両コネクタ１０、２０は、前端１０Ｍ、２０Ｍ同士を向かい合わせて、直線的にスライドさせることにより、端子同士が互いに嵌合するものである。
【００１８】
オスコネクタハウジング１０Ａは、直方体形状のものであり、上壁１１と下壁１２と左右側壁１３とを有する。また、メスコネクタハウジング２０Ａは、オスコネクタハウジング１０Ａを受け入れる角筒形のフード部３０を前部に有し、該フード部３０が開放可能となるように、下側半体（第１の半体）２１と上側半体（第２の半体）２２に二分割されている。
【００１９】
上側半体２２は、下側半体２１に対してヒンジ２３により上下方向（矢印Ｇ、Ｆ方向）に開閉可能に一体に連結されており、メスコネクタハウジング２０Ａを構成する下側半体２１と上側半体２２とヒンジ２３は、すべて一体に樹脂成形されている。この場合のヒンジ２３は、メスコネクタハウジング２０Ａの後端２０Ｎに配置されており、それにより上側半体２２は、フード部３０を開放するときに、嵌合方向の前方に向けて口を開くように開放する。
【００２０】
下側半体２１は、フード部３０の周壁の一部を構成する下壁３１と側壁３２とを有すると共に、後半部に、第２の端子を保持したコネクタ本体部３４を有している。側壁３２は、上側半体２２を下側半体２１に対して閉じる動作を行ったときに、その動作方向と平行な面内にある壁であり、オスコネクタハウジング１０Ａの側壁１３と対向する壁である。
【００２１】
また、上側半体２２は、フード部３０の周壁の残りの部分を構成する上壁４１と側壁４２とを有する。この上側半体２２の側壁４２も、上側半体２２を下側半体２１に対して閉じる動作を行ったときに、その動作方向と平行な面内にある壁であり、オスコネクタハウジングＡの側壁１３と対向する壁である。
【００２２】
下側半体２１の側壁３２と上側半体２２の側壁４２は、両半体２１、２２を閉じたときに相手側の側壁３２、４２の嵌まる切欠き３３、４３を有しており、下側半体２１の切欠き３３はフード部３０の前部に形成され、上側半体２２の切欠き４３はフード部３０の後部に形成されている。
【００２３】
また、下側半体２１とオスコネクタハウジング１０Ａとの間には、オスコネクタハウジング１０Ａとメスコネクタハウジング２０Ａを嵌合する際に、オスコネクタハウジング１０Ａを下側半体２１のコネクタ本体部３４に向けて直線スライドするように誘導するガイド手段が設けられている。この場合、ガイド手段として、互いに対向するオスコネクタハウジング１０Ａの側壁１３の外面と下側半体２１の側壁３２の内面に、スライド自在に係合する直線状のガイド溝１６と直線状のガイド凸部３６とがそれぞれ設けられている。なお、ガイド溝１６が下側半体２１の側壁３２の内面に設けられ、ガイド凸部３６がオスコネクタハウジング１０Ａの側壁１３の外面に設けられていてもよい。
【００２４】
また、上側半体２２とオスコネクタハウジング１０Ａの間には、上側半体２２を下側半体２１に対して閉じる動作を行ったときに、その動作に連動して、オスコネクタハウジング１０Ａを下側半体２１のコネクタ本体部３４に向けてスライドさせて、オスコネクタ１０側の第１の端子とメスコネクタ２０側の第２の端子を接続させる引込機構が設けられている。
【００２５】
この場合、引込機構として、互いに対向するオスコネクタハウジング１０Ａの側壁１３の外面と上側半体２２の側壁４２の内面に、スライド自在に係合するカム溝１７と係合凸部４７とがそれぞれ設けられている。カム溝１７は、上側半体２２を下側半体２１に対して閉じる動作を行ったときに、係合凸部４７をカム溝１７の入口部１７Ａより受け入れて、その閉じる動作が進むに従い、カム溝１７をスライドする係合凸部４７を介して、オスコネクタハウジング１０Ａをコネクタ本体部３４に向けて相対移動させることのできる経路で形成されており、上側半体２２が完全に閉じたときに、係合凸部４７がカム溝１７の奥端１７Ｂに到達し、それにより、オスコネクタ１０とメスコネクタ２０の嵌合が完了するように設定されている。
【００２６】
また、上側半体２２と、下側半体２１またはオスコネクタハウジング１０Ａとの間には、上側半体２２を閉じることによってオスコネクタ１０とメスコネクタ２０が嵌合したときに、互いにロックすることで、その状態を保持するロック機構（図示略）が設けられている。
【００２７】
次に作用を説明する。
【００２８】
オスコネクタ１０とメスコネクタ２０を嵌合する場合は、図２に示すように、オスコネクタハウジング１０Ａのガイド溝１６をメスコネクタハウジング２０Ａの下側半体２１のガイド凸部３６に嵌めて、矢印Ｃ、Ｄのように、オスコネクタ１０とメスコネクタ２０を直線スライドさせる。次に、メスコネクタハウジング２０Ａの上側半体２２の側壁４２の内面に設けてある係合凸部４７を、オスコネクタハウジング１０Ａの側壁１３の外面に形成してあるカム溝１７の入口部１７Ａに位置合わせして挿入し、それから図３に示すように、上側半体２２を矢印Ｆの閉方向に押し下げる。
【００２９】
そうすると、カム溝１７に沿って係合凸部４７がスライドすることにより、係合凸部４７およびカム溝１７の作用により、オスコネクタ１０とメスコネクタ２０が互いに接近する方向にスライドして、コネクタ本体部３４にオスコネクタ１０が移動することで、オスコネクタ１０側の第１の端子とメスコネクタ２０側の第２の端子が接続される。
【００３０】
最終的にカム溝１７の奥端１７Ｂに係合凸部４７が到達する段階で、第１の端子と第２の端子が完全に接続され、この時点では、上側半体２２が下側半体２１の上部に完全に閉じた状態になり、その状態で図示しないロック機構がロックすることによって、接続状態が維持される。
【００３１】
一方、オスコネクタ１０とメスコネクタ２０の嵌合を解除する場合は、図示略のロック機構のロックを外しながら、上側半体２２を下側半体２１に対して持ち上げる。そうすると、カム溝１７と係合凸部４７のカム作用により、オスコネクタ１０がメスコネクタ２０のコネクタ本体部３４から引き離され、第１の端子と第２の端子の接続が解除され、オスコネクタ１０とメスコネクタ２０の嵌合が解かれる。
【００３２】
このように、メスコネクタハウジング２０Ａの一部を構成する上側半体２２を、従来のレバー式コネクタのレバーのように操作することによって、オスコネクタ１０とメスコネクタ２０の嵌合および嵌合解除を容易に行うことができる。従って、メスコネクタハウジング２０Ａとは別にレバーを用意して組み付ける必要がなくなり、部品点数の削減によるコスト低減と組立の面倒を無くすことができる。
【００３３】
また、オスコネクタハウジング１０Ａの側壁１３と上側半体２２の側壁４２の対向面の一方および他方に、カム溝１７と係合凸部４７を形成するだけで、引込機構を構成することができるので、コストをかけずに容易に実現することができる。
【００３４】
また、直線状のガイド溝１６とガイド凸部３６の案内作用により、オスコネクタハウジング１０Ａを下側半体２１のコネクタ本体部３４に向けて適正な姿勢でスライドさせることができるので、上側半体２２の閉じ動作による両コネクタ１０、２０の嵌合をスムーズに行うことができる。
【００３５】
また、フード部３０を開放するときに、上側半体２２が、前方に向けて口を開くように開放するので、その開放したフード部３０へ向けてオスコネクタ１０を容易に適正な姿勢で挿入することができる。
【００３６】
また、上側半体２２を閉じたときに、上側半体２２をロック機構によってロックすることができるので、コネクタ１０、２０の外れ防止の確実化を図ることができる。
【符号の説明】
【００３７】
１０  オスコネクタ
１０Ａ  オスコネクタハウジング
１３  側壁
１６  直線状のガイド溝
１７  カム溝
１７Ａ  入口部
２０  メスコネクタ
２０Ａ  メスコネクタハウジング
２０Ｎ  後端
２１  下側半体（第１の半体）
２２  上側半体（第２の半体）
３０  フード部
３１  下壁
３２  側壁
３４  コネクタ本体部
３６  直線状のガイド凸部
４１  上壁
４２  側壁
４７  係合凸部
【図１】
2011076752.tif 000003
【図２】
2011076752.tif 000004
【図３】
2011076752.tif 000005
【図４】
2011076752.tif 000006